(57)【特許請求の範囲】
【請求項１】
セルを形成する基地局を備える無線通信システムにおいて使用され、装置対装置通信の発見信号を受信するユーザ装置であって、
在圏セルの基地局から、隣接セルにおいて発見信号が送信され得るリソースの範囲を受信する情報受信部と、
前記情報受信部により受信したリソースの範囲の中で、隣接セルに同期した同期信号を受信したことに応じて、隣接セルに同期した時間位置で発見信号を受信する発見信号受信部と、
を備えることを特徴とするユーザ装置。
【請求項２】
セルを形成する基地局を備える無線通信システムにおいて使用され、装置対装置通信の発見信号を受信するユーザ装置であって、
在圏セルの基地局から、隣接セルにおいて発見信号が送信され得るリソースの範囲を受信する情報受信部と、
前記情報受信部により受信したリソースの範囲の前で、隣接セルに同期した同期信号を受信したことに応じて、隣接セルに同期した時間位置で発見信号を受信する発見信号受信部と、
を備えることを特徴とするユーザ装置。
【請求項３】
前記在圏セルに同期した同期信号を送信する同期信号送信部を更に備えることを特徴とする請求項１又は２に記載のユーザ装置。
【請求項４】
セルを形成する基地局を備える無線通信システムにおいて使用され、装置対装置通信の発見信号を送信するユーザ装置であって、
在圏セルの基地局から、隣接セルにおいて発見信号が受信され得るリソースの範囲を受信する情報受信部と、
前記情報受信部により受信したリソースの範囲の中で、隣接セルに同期した同期信号を受信したことに応じて、隣接セルに同期した時間位置で発見信号を送信する発見信号送信部と、
を備えることを特徴とするユーザ装置。
【請求項５】
セルを形成する基地局を備える無線通信システムにおいて使用され、装置対装置通信の発見信号を送信するユーザ装置であって、
在圏セルの基地局から受信する下り信号、及び隣接セルの基地局から受信する下り信号に基づいて、在圏セルと隣接セルとの間のタイミングの差分を決定する差分決定部と、
前記差分決定部により決定されたタイミングの差分を、在圏セルの基地局に送信する情報送信部と、
前記タイミングの差分に基づき、隣接セルにおいて発見信号が受信され得るリソースの範囲を取得し、当該リソースの範囲の中で、隣接セルに同期した同期信号を受信したことに応じて、隣接セルに同期した時間位置で発見信号を送信する発見信号送信部と、
を備えることを特徴とするユーザ装置。
【請求項６】
無線通信システムにおいて使用され、装置対装置通信の発見信号を送受信するユーザ装置と通信する基地局であって、
隣接セルに在圏するユーザ装置から発見信号を受信し、当該発見信号に基づいて、隣接セルにおいて発見信号が送受信され得るリソースの範囲を決定するリソース範囲決定部と、
前記リソース範囲決定部により決定されたリソースの範囲を、前記基地局のセルに在圏するユーザ装置に送信するリソース範囲送信部と、
を備えることを特徴とする基地局。
【請求項７】
無線通信システムにおいて使用され、装置対装置通信の発見信号を送受信するユーザ装置と通信する基地局であって、
前記基地局のセルに在圏するユーザ装置から、当該セルと隣接セルとの間のタイミングの差分を受信し、当該タイミングの差分に基づいて、隣接セルにおいて発見信号が送受信され得るリソースの範囲を決定するリソース範囲決定部と、
前記リソース範囲決定部により決定されたリソースの範囲を、前記基地局のセルに在圏するユーザ装置に送信するリソース範囲送信部と、
を備えることを特徴とする基地局。
【請求項８】
前記タイミングの差分を隣接セルの基地局に送信する通信部を更に備えることを特徴とする請求項７に記載の基地局。
【請求項９】
セルを形成する基地局を備える無線通信システムにおいて使用され、装置対装置通信の発見信号を受信するユーザ装置が実行する発見信号受信方法であって、
在圏セルの基地局から、隣接セルにおいて発見信号が送信され得るリソースの範囲を受信する情報受信ステップと、
前記情報受信ステップにより受信したリソースの範囲の中で、隣接セルに同期した同期信号を受信したことに応じて、隣接セルに同期した時間位置で発見信号を受信する発見信号受信ステップと、
を備えることを特徴とする発見信号受信方法。
【請求項１０】
セルを形成する基地局を備える無線通信システムにおいて使用され、装置対装置通信の発見信号を送信するユーザ装置が実行する発見信号送信方法であって、
在圏セルの基地局から、隣接セルにおいて発見信号が受信され得るリソースの範囲を受信する情報受信ステップと、
前記情報受信ステップにより受信したリソースの範囲の中で、隣接セルに同期した同期信号を受信したことに応じて、隣接セルに同期した時間位置で発見信号を送信する発見信号送信ステップと、
を備えることを特徴とする発見信号送信方法。
【発明の詳細な説明】
【技術分野】
【０００１】
本発明は、端末間（Ｄ２Ｄ）通信に関するものであり、特に、セル間非同期環境における端末発見信号の送受信技術に関連するものである。
【背景技術】
【０００２】
移動体通信では、端末（以下、ユーザ装置ＵＥと呼ぶ）と基地局ｅＮＢが通信を行うことによりユーザ装置ＵＥ間で通信を行うことが一般的であるが、近年、ユーザ装置ＵＥ間で直接に通信を行うＤ２Ｄ通信（装置対装置通信とも呼ぶ）ついての種々の技術が検討されている。
【０００３】
ユーザ装置ＵＥ間で通信を行う際に、一方のユーザ装置ＵＥは、近隣の他方のユーザ装置ＵＥを発見することが必要である。ユーザ装置ＵＥを発見する手法として、各ユーザ装置ＵＥが、自身のＩＤ（識別情報）を含む発見信号（ｄｉｓｃｏｖｅｒｙ  ｓｉｇｎａｌ）を送信（ブロードキャスト）する手法がある。例えば、図１に示すように、ユーザ装置ＵＥ−Ａが、自身の識別情報を含む発見信号を送出し、当該発見信号をユーザ装置ＵＥ−Ｂが受信した場合、ユーザ装置ＵＥ−Ｂは、発見信号の中にユーザ装置ＵＥ−Ａの識別情報があることを判別することにより、ユーザ装置ＵＥ−Ａを発見する。
【０００４】
図２は、発見信号を送信するための無線リソース（以下、リソースと呼ぶ）の一例を示す図である。図２の例では、発見信号の送受信を行うことでユーザ装置ＵＥの発見（及び被発見）を行う発見リソース（例：発見サブフレーム：ｄｉｓｃｏｖｅｒｙ  ｓｕｂｆｒａｍｅ）が周期的に訪れるように定められている。図２に示すように、ある発見信号送受信のための期間（発見期間とも呼ぶ）と次の発見期間との間の時間長を発見信号間隔（ｄｉｓｃｏｖｅｒｙ  ｓｉｇｎａｌ  ｉｎｔｅｒｖａｌ）と呼ぶ。このような発見リソースは、例えば無線アクセスネットワーク（ＲＡＮ）の基地局ｅＮＢにより割り当てられ、ユーザ装置ＵＥは、発見リソースを発見信号間隔で使用することにより発見信号の送受信を行う。
【０００５】
図２の各発見期間におけるリソースの中には複数のブロック（時間−周波数リソースのブロック）が存在し、各ユーザ装置ＵＥは、例えば、複数のブロックのうちのいずれかのブロックを選択することにより発見信号の送信を行い、いずれかのブロックで発見信号を受信する。図２において、発見期間以外の部分は、通常の基地局ｅＮＢを介した通信に用いられる。
【先行技術文献】
【特許文献】
【０００６】
【特許文献１】特開２０１２−２０９８９３号公報
【発明の概要】
【発明が解決しようとする課題】
【０００７】
セル内では、同期した発見信号送受信が想定される。このことを図３を参照して説明する。図３（ａ）に示すように、各ユーザ装置ＵＥ１、ＵＥ２がネットワークカバレッジ内（セル内）に存在する場合、ユーザ装置ＵＥ１、ＵＥ２は、基地局ｅＮＢからの下り信号により、基地局ｅＮＢと同期をとり、結果として、ユーザ装置ＵＥ間でも同期がとられる。
【０００８】
ユーザ装置ＵＥ間で同期がとられることにより、図３（ｂ）に示すように、ユーザ装置ＵＥ間で認識する発見期間（本例では、サブフレーム）が揃うので、ユーザ装置ＵＥ１が送信した発見信号をユーザ装置ＵＥ２は適切に受信することができる。このように、同期した発見信号検出により、発見パフォーマンスを高め、エネルギ消費を抑制することができる。
【０００９】
ここで、ＬＴＥ等の移動通信システムにおいて、一般に基地局ｅＮＢ間では非同期であることが多く、非同期である場合、異なるセル間においてユーザ装置ＵＥ間は非同期である。
【００１０】
非同期の環境における問題点を、図４を参照して説明する。図４において、同期していない基地局ｅＮＢ−Ａと基地局ｅＮＢ−Ｂが存在し、基地局ｅＮＢ−Ａに同期するユーザ装置ＵＥ１と、基地局ｅＮＢ−Ｂに同期するユーザ装置ＵＥ２とがＤ２Ｄ通信を行うことを想定する。
【００１１】
図４（ａ）に示す環境において、サブフレーム３が発見信号送受信用のサブフレーム（発見サブフレーム）として定められている場合において、図４（ｂ）に示すように、ユーザ装置ＵＥ１は、自セルのサブフレーム３において発見信号を送信する。しかし、ユーザ装置ＵＥ１とユーザ装置ＵＥ２は同期がとれていないので、ユーザ装置ＵＥ１がサブフレーム３であると認識する時刻は、ユーザ装置ＵＥ２にとってはサブフレーム０と１の間であり、サブフレーム３ではない。よって、ユーザ装置ＵＥ１がサブフレーム３であると認識する時刻において、ユーザ装置ＵＥ２は、発見信号を受信することを期待しておらず、ユーザ装置ＵＥ１から送信された発見信号を受信することができない。
【００１２】
本発明は上記の点に鑑みてなされたものであり、セル間非同期環境において、非同期であるユーザ装置間でＤ２Ｄ通信の発見信号を送受信することを可能とする技術を提供することを目的とする。
【課題を解決するための手段】
【００１３】
本発明の実施の形態によれば、セルを形成する基地局を備える無線通信システムにおいて使用され、装置対装置通信の発見信号を受信するユーザ装置であって、
在圏セルの基地局から、隣接セルにおいて発見信号が送信され得るリソースの範囲を受信する情報受信部と、
前記情報受信部により受信したリソースの範囲の中で、隣接セルに同期した同期信号を受信したことに応じて、隣接セルに同期した時間位置で発見信号を受信する発見信号受信部と、を備えることを特徴とするユーザ装置が提供される。
【００１４】
また、本発明の実施の形態によれば、セルを形成する基地局を備える無線通信システムにおいて使用され、装置対装置通信の発見信号を受信するユーザ装置であって、
在圏セルの基地局から受信する下り信号、及び隣接セルの基地局から受信する下り信号に基づいて、在圏セルと隣接セルとの間のタイミングの差分を決定する差分決定部と、
前記差分決定部により決定されたタイミングの差分を、在圏セルの基地局に送信する情報送信部と、
前記タイミングの差分に基づき、隣接セルにおいて発見信号が送信され得るリソースの範囲を取得し、当該リソースの範囲の中で、隣接セルに同期した同期信号を受信したことに応じて、隣接セルに同期した時間位置で発見信号を受信する発見信号受信部と、を備えることを特徴とするユーザ装置が提供される。
【００１５】
また、本発明の実施の形態によれば、セルを形成する基地局を備える無線通信システムにおいて使用され、装置対装置通信の発見信号を送信するユーザ装置であって、
在圏セルの基地局から、隣接セルにおいて発見信号が受信され得るリソースの範囲を受信する情報受信部と、
前記情報受信部により受信したリソースの範囲の中で、隣接セルに同期した同期信号を受信したことに応じて、隣接セルに同期した時間位置で発見信号を送信する発見信号送信部と、を備えることを特徴とするユーザ装置が提供される。
【００１６】
また、本発明の実施の形態によれば、セルを形成する基地局を備える無線通信システムにおいて使用され、装置対装置通信の発見信号を送信するユーザ装置であって、
在圏セルの基地局から受信する下り信号、及び隣接セルの基地局から受信する下り信号に基づいて、在圏セルと隣接セルとの間のタイミングの差分を決定する差分決定部と、
前記差分決定部により決定されたタイミングの差分を、在圏セルの基地局に送信する情報送信部と、
前記タイミングの差分に基づき、隣接セルにおいて発見信号が受信され得るリソースの範囲を取得し、当該リソースの範囲の中で、隣接セルに同期した同期信号を受信したことに応じて、隣接セルに同期した時間位置で発見信号を送信する発見信号送信部と、を備えることを特徴とするユーザ装置が提供される。
【００１７】
また、本発明の実施の形態によれば、無線通信システムにおいて使用され、装置対装置通信の発見信号を送受信するユーザ装置と通信する基地局であって、
隣接セルに在圏するユーザ装置から発見信号を受信し、当該発見信号に基づいて、隣接セルにおいて発見信号が送受信され得るリソースの範囲を決定するリソース範囲決定部と、
前記リソース範囲決定部により決定されたリソースの範囲を、前記基地局のセルに在圏するユーザ装置に送信するリソース範囲送信部と、を備えることを特徴とする基地局が提供される。
【００１８】
また、本発明の実施の形態によれば、無線通信システムにおいて使用され、装置対装置通信の発見信号を送受信するユーザ装置と通信する基地局であって、
前記基地局のセルに在圏するユーザ装置から、当該セルと隣接セルとの間のタイミングの差分を受信し、当該タイミングの差分に基づいて、隣接セルにおいて発見信号が送受信され得るリソースの範囲を決定するリソース範囲決定部と、
前記リソース範囲決定部により決定されたリソースの範囲を、前記基地局のセルに在圏するユーザ装置に送信するリソース範囲送信部と、を備えることを特徴とする基地局が提供される。
【発明の効果】
【００１９】
本発明の実施の形態によれば、セル間非同期環境において、非同期であるユーザ装置間でＤ２Ｄ通信の発見信号を送受信することを可能とする技術が提供される。
【図面の簡単な説明】
【００２０】
【図１】Ｄ２Ｄ通信でユーザ装置ＵＥを発見する技術を説明するための図である。
【図２】発見リソースの例を示す図である。
【図３】同期した環境でのＤ２Ｄ通信の例を示す図である。
【図４】非同期の環境におけるＤ２Ｄ通信の例を示す図である。
【図５】本発明の実施の形態に係るシステムの全体構成例である。
【図６】第１の実施の形態の概要を示す図である。
【図７】第２の実施の形態の概要を示す図である。
【図８】発見信号を受信する側のユーザ装置ＵＥが実行する処理の流れの概要を示すフローチャートである。
【図９】ステップ１０１における第１の方法の具体例を示す図である。
【図１０】ステップ１０１における第２の方法の具体例を示す図である。
【図１１】第２の方法においてセル端のユーザ装置ＵＥが実行する測定及び通知の手順例１である。
【図１２】第２の方法においてセル端のユーザ装置ＵＥが実行する測定及び通知の手順例２である。
【図１３】基地局間の通信の手順例である。
【図１４】第２の方法の変形例を示す図である。
【図１５】第２の方法の変形例の具体例を示す図である。
【図１６】ステップ１０２の第１の方法の具体例を示す図である。
【図１７】ステップ１０２の第２の方法の具体例を示す図である。
【図１８】ステップ１０２の第３の方法の具体例を示す図である。
【図１９】第１の実施の形態におけるユーザ装置ＵＥの機能構成図である。
【図２０】第１の実施の形態における基地局ｅＮＢの機能構成図である。
【図２１】第１の実施の形態におけるユーザ装置ＵＥの他の機能構成図である。
【図２２】第１の実施の形態における基地局ｅＮＢの他の機能構成図である。
【図２３】発見信号を送信する側のユーザ装置ＵＥが実行する処理の流れの概要を示すフローチャートである。
【図２４】ステップ２０１における第１の方法の具体例を示す図である。
【図２５】ステップ２０１における第２の方法の具体例を示す図である。
【図２６】第２の方法の変形例の具体例を示す図である。
【図２７】ステップ２０２の第１の方法の具体例を示す図である。
【図２８】ステップ２０２の第２の方法の具体例を示す図である。
【図２９】第２の実施の形態におけるユーザ装置ＵＥの機能構成図である。
【図３０】第２の実施の形態における基地局ｅＮＢの機能構成図である。
【図３１】第２の実施の形態におけるユーザ装置ＵＥの他の機能構成図である。
【図３２】第２の実施の形態における基地局ｅＮＢの他の機能構成図である。
【発明を実施するための形態】
【００２１】
以下、図面を参照して本発明の実施の形態を説明する。なお、以下で説明する各実施の形態は一例に過ぎず、本発明が適用される実施の形態は、以下の実施の形態に限られるわけではない。
【００２２】
図５に、本発明の実施の形態（第１、第２の実施の形態に共通）におけるシステム全体構成例を示す。図５に示すように、本実施の形態では、基地局ｅＮＢ−Ａと基地局ｅＮＢが存在する環境（非同期であるとする）において、基地局ｅＮＢ−ＡのセルＡ内のユーザ装置ＵＥ（例：ユーザ装置ＵＥ１）と、基地局ｅＮＢ−ＢのセルＢ内のユーザ装置ＵＥ（ユーザ装置ＵＥ２）とがＤ２Ｄ通信のための発見信号送受信を行う。
基地局ｅＮＢ−ＡのセルＡ内のユーザ装置ＵＥ１は基地局ｅＮＢ−Ａと同期し、基地局ｅＮＢ−ＢのセルＢ内のユーザ装置ＵＥ２は基地局ｅＮＢ−Ｂと同期する。しかし、基地局ｅＮＢ−Ａと基地局ｅＮＢ−Ｂは同期していないため、ユーザ装置ＵＥ１はユーザ装置ＵＥ２と同期していない。
このような環境において、本発明の第１の実施の形態では、図６に示すように、ユーザ装置ＵＥ２が、隣接セルＡ（ユーザ装置ＵＥ１）における発見期間（発見サブフレーム）の時刻を把握し、当該期間において発見信号を受信する動作（ｌｉｓｔｅｎ）を行う。
第２の実施の形態では、図７に示すように、ユーザ装置ＵＥ１が、隣接セル（ユーザ装置ＵＥ２）における発見期間（発見サブフレーム）の時刻を把握し、当該期間において発見信号を送信する。
【００２３】
以下、第１の実施の形態と第２の実施の形態を説明する。なお、以下では、発見期間を「サブフレーム」としているが、これは一例に過ぎない。例えば、発見期間は複数のサブフレームであってもよいし、その他の期間であってもよい。
【００２４】
（第１の実施の形態の概要）  
図８は、本実施の形態において、発見信号を受信する側のユーザ装置ＵＥが実行する処理の流れの概要を示すフローチャートである。
【００２５】
ステップ１０１）ユーザ装置ＵＥは、隣接セルからの発見信号が存在し得る（ラフな）リソース範囲（例：時間−周波数範囲、時間範囲）を決定する。なお、ステップ１０１（後述するステップ２０１でも同様）における上記の「リソース範囲」は、具体例では、主に時間の範囲であるが、リソース範囲は時間−周波数範囲でもよい。
ここでの決定では、自セルにおける基地局ｅＮＢ（もしくはユーザ装置ＵＥ）から受信する信号を利用する。すなわち、自セルの基地局ｅＮＢ（もしくはユーザ装置ＵＥ）が、隣接セルからの発見信号が現れ得るラフな（おおよその）リソース範囲を決定し、自身のタイミングでユーザ装置ＵＥに通知する。
【００２６】
その具体的な方法としては、２種類があり、第１の方法では、基地局ｅＮＢが隣接セルから送信された発見信号を観測し、その観測に基づいて隣接セルにおける発見信号のリソース範囲を検出し、その情報を配下のユーザ装置ＵＥに通知する。
【００２７】
第２の方法では、セル端のユーザ装置ＵＥが隣接セルの基地局ｅＮＢから下り信号を受信することにより、自セルと隣接セルとの間のサブフレームのタイミングの差分を検出し、その差分の情報を自セルの基地局ｅＮＢに通知する。そして、当該基地局ｅＮＢは、配下のユーザ装置ＵＥに差分の情報を通知する。これにより、当該ユーザ装置ＵＥは、隣接セルにおける発見期間の範囲を把握することができる。
【００２８】
ステップ１０２）ステップ１０１において、隣接セルから発見信号が送信され得るリソースの範囲を通知されたユーザ装置ＵＥは、当該範囲において、隣接セルにおけるタイミングと同期をとり、隣接セルのユーザ装置ＵＥから送信された発見信号を受信（検出）する。
【００２９】
隣接セルと同期をとるためにユーザ装置ＵＥは隣接セルから同期信号を受信する。その具体的な方法としては、３種類あり、第１の方法では、ユーザ装置ＵＥは隣接セルの基地局ｅＮＢから送信された同期信号を受信する。第２の方法では、ユーザ装置ＵＥは、隣接セルにおいて選択されたユーザ装置ＵＥ（ａｎｃｈｏｒ  ＵＥ）から同期信号を受信する。第３の方法では、ユーザ装置ＵＥは、隣接セルにおいて発見信号を送信するユーザ装置ＵＥから同期信号を受信する。つまり、隣接セルのユーザ装置ＵＥは、同期信号とともに発見信号を送信する。
【００３０】
以下、第１の実施の形態をより詳細に説明する。
【００３１】
［ステップ１０１：ユーザ装置ＵＥが、隣接セルから発見信号が送信され得るリソース範囲を把握する］
＜ステップ１０１における第１の方法＞
まず、ステップ１０１における第１の方法について詳細に説明する。前述したように、第１の方法では、基地局ｅＮＢが、隣接セルから送信された発見信号を観測し、その観測に基づいて隣接セルにおける発見信号送信のラフなリソース範囲（例：時間−周波数範囲、時間範囲）を検出し、その情報を含む信号を配下のユーザ装置ＵＥに通知する。
【００３２】
基地局ｅＮＢが配下のユーザ装置ＵＥに通知する信号には、例えば、絶対的な時間−周波数範囲、絶対的な時間範囲、もしくは、自セルにおける発見リソース位置との差分の情報等が含まれる。当該信号を通知する方法に限定はないが、例えば、報知情報等のブロードキャストシグナリング、ＲＲＣシグナリング、（Ｅ）ＰＤＣＣＨシグナリング等で通知することができる。また、これらの組み合わせを使用してもよい。
【００３３】
第１の方法における具体例を図９（ａ）、（ｂ）を参照して説明する。本例では、図９（ａ）に示すように、ユーザ装置ＵＥ１とユーザ装置ＵＥ３がセルＡに在圏し、ユーザ装置ＵＥ２がセルＢに在圏する。本システムでは、各セルにおいてサブフレーム３が発見信号送受信のためのサブフレームとして割り当てられているものとする。また、以下の例では、リソース範囲として、特に時間範囲に着目して説明するが、基地局ｅＮＢが、受信する発見信号に基づいて、隣接セルの発見リソースの周波数範囲（帯域範囲）も把握して、時間差分とともに周波数差分（又は、隣接セル使用周波数）を通知してもよい。
【００３４】
図９（ａ）に示すように、ユーザ装置ＵＥ１の位置は、セルＡのセル端であるとともに、セルＢのセル端でもある。ユーザ装置ＵＥ１は、サブフレーム３において発見信号を送信し、発見信号はユーザ装置ＵＥ３により受信されるとともに、セルＢの基地局ｅＮＢ−Ｂにも受信される（ステップ１１）。
【００３５】
発見信号を受信した基地局ｅＮＢ−Ｂは、隣接セルＡの発見信号は自局のタイミングにおいては、サブフレーム０及び１で送信されると判断し、自局におけるユーザ装置ＵＥ２に、隣接セルにおける発見サブフレームが、自局におけるサブフレーム０及び１の範囲にあることを通知する（ステップ１２）。
【００３６】
図９（ｂ）に示すように、この通知を受けたユーザ装置ＵＥ２は、隣接セルＡからの発見信号をサブフレーム０と１において監視（ｌｉｓｔｅｎ）することを決定する。後述するように、この監視期間の間に、同期信号を受信し、発見信号を受信（検出）することになる。
【００３７】
自局の基地局ｅＮＢから上記の通知を受けたユーザ装置ＵＥ（例：上記のユーザ装置ＵＥ２）は、常に隣接セルからの発見信号を監視することとしてもよいし、所定の条件を満たす場合にのみ監視することとしてもよい。
【００３８】
後者の場合、例えば、当該ユーザ装置ＵＥは、在圏基地局ｅＮＢと隣接基地局ｅＮＢからの参照信号に基づいて隣接セルからの発見信号を監視することを決定する。例えば、隣接基地局ｅＮＢからの参照信号の強度が所定の閾値より大きく、在圏基地局ｅＮＢからの参照信号の強度が所定の閾値よりも小さい場合に隣接セルからの発見信号を監視することを決定する。当該閾値は、例えば、在圏基地局ｅＮＢからの下り信号により適宜更新することができる。当該下り信号は、ブロードキャストシグナリング、（ｅ）ＰＤＣＣＨ、ＲＲＣシグナリング等により通知されるものである。また、在圏基地局ｅＮＢもしくは隣接基地局ｅＮＢからユーザ装置ＵＥに対して、隣接セルの発見信号を監視するよう直接に指示することとしてもよい。
【００３９】
ユーザ装置ＵＥが隣接セルからの発見信号を監視するかどうかを決定する上記の方法は、他の方法の例でも同様である。
【００４０】
＜ステップ１０１における第２の方法＞
次に、ステップ１０１における第２の方法について詳細に説明する。前述したように、第２の方法では、セル端のユーザ装置ＵＥが隣接セルの基地局ｅＮＢから下り信号を受信することにより、自セルと隣接セルとの間のサブフレームのタイミングの差分を検出し、その差分の情報を自セルの基地局ｅＮＢに通知する。そして、基地局ｅＮＢは、配下のユーザ装置ＵＥに差分の情報を通知する。
また、当該基地局ｅＮＢは、当該タイミングの差分を隣接基地局ｅＮＢにバックホール回線（例：Ｘ２インターフェース）を用いて通知する。そして、通知を受けた隣接基地局ｅＮＢは、配下のユーザ装置ＵＥに対して、隣接セルからの発見信号を監視すべき範囲を通知する。通知する情報は、絶対的な情報でもよいし、発見リソース位置の自局との差分でもよい。また、当該情報は、例えば、ブロードキャストシグナリング、ＲＲＣシグナリング、（ｅ）ＰＤＤＣＨシグナリング、もしくはこれらの組み合わせで送信される。
【００４１】
セル端のユーザ装置ＵＥが、隣接セルの基地局ｅＮＢから下り信号を測定し、差分の通知を行うことは、例えば、当該隣接セルの基地局ｅＮＢからのシグナリングを契機として行われることとしてよい。
【００４２】
また、当該測定及び通知は、ある条件を満足する等のイベントを契機としてもよい。当該イベントとしては、例えば、隣接セルからの発見信号の強度が所定の閾値よりも大きいこと等がある。
【００４３】
また、隣接セルからの発見信号のリソース範囲の通知を受けたユーザ装置ＵＥは、第１の方法と同様にして、自分自身で、もしくは基地局ｅＮＢからの指示により、隣接セルからの発見信号を監視するかどうかを決定する。
【００４４】
次に、図１０（ａ）、（ｂ）を参照して、第２の方法の具体例を説明する。図１０（ａ）に示すように、本例では、ユーザ装置ＵＥ１とユーザ装置ＵＥ３がセルＡに在圏し、ユーザ装置ＵＥ２がセルＢに在圏する。また、本システムでは、各セルにおいてサブフレーム３が発見信号送受信のためのサブフレームとして割り当てられている。以下の例においても、隣接セルの発見信号のリソース範囲として、特に時間の範囲に着目して説明するが、ユーザ装置ＵＥが、在圏基地局ｅＮＢ及び隣接基地局ｅＮＢからの下り信号に基づいて、隣接セルの発見リソースの周波数範囲（帯域範囲）を把握して、時間差分とともに隣接セル使用周波数もしくは周波数差分を在圏基地局ｅＮＢに通知してもよい。
図１０（ａ）に示すように、ユーザ装置ＵＥ１の位置は、セルＡのセル端であるとともに、セルＢのセル端でもある。ユーザ装置ＵＥ１は、基地局ｅＮＢ−Ａから下り信号を受信するとともに、基地局ｅＮＢ−Ｂからも下り信号を受信する（ステップ２１）。
ユーザ装置ＵＥ１は、基地局ｅＮＢ−Ａからの下り信号と、基地局ｅＮＢ−Ｂからの下り信号とに基づいて、基地局ｅＮＢ−Ａと基地局ｅＮＢ−Ｂ間のタイミングの差分（本例では、約２．５サブフレーム）を推定する。ユーザ装置ＵＥ１は、セルＡのほうがセルＢよりも約２．５サブフレーム分だけ進んでいることを示す情報を基地局ｅＮＢ−Ａに通知する（ステップ２２）。
【００４５】
上記通知を受信した基地局ｅＮＢ−Ａは、バックホール回線を用いて当該タイミングの差分情報を基地局ｅＮＢ−Ｂに通知する（ステップ２３）。また、基地局ｅＮＢ−Ａは、配下のユーザ装置ＵＥ３に対し、隣接セルＢの発見サブフレームのリソース範囲として、サブフレーム３よりも２．５サブフレーム分だけ遅れた時間位置に対応するサブフレーム５及び６を通知する（ステップ２４）。このようにバックホール回線を用いて通知を行うことで、基地局ｅＮＢ−Ｂは、効率的に隣接セルのタイミング情報を取得できる。
【００４６】
また、基地局ｅＮＢ−Ｂは、配下のユーザ装置ＵＥ２に対し、隣接セルＡの発見サブフレームのリソース範囲として、サブフレーム３よりも２．５サブフレーム分だけ進んだ時間位置に対応するサブフレーム０及び１を通知する（ステップ２５）。
【００４７】
そして、図１０（ｂ）に示すように、セルＡのユーザ装置ＵＥ１、３は、隣接セルＢの発見サブフレームの時間位置を含むサブフレーム５及び６で隣接セルＢ（ユーザ装置ＵＥ２）からの発見信号を監視する。また、セルＢのユーザ装置ＵＥ２は、隣接セルＡの発見サブフレームの時間位置を含むサブフレーム０及び１で隣接セルＡ（ユーザ装置ＵＥ１、ＵＥ３）からの発見信号を監視する。
【００４８】
ここで、第２の方法においてセル端のユーザ装置ＵＥが実行する測定及び通知の手順例を説明する。  
（例１）例１の手順を図１１を参照して説明する。例１では、測定及び通知は、在圏する基地局ｅＮＢからのシグナリングをトリガとして実行される。すなわち、図１１に示すように、基地局ｅＮＢがセル端のユーザ装置ＵＥに測定要求（ｍｅａｓｕｒｅｍｅｎｔ  ｒｅｑｕｅｓｔ）を送信する（ステップ３１）。ユーザ装置ＵＥは、当該測定要求に基づいて、隣接セルと在圏セルとの間のタイミング差分を測定し（ステップ３２）、当該タイミング差分を測定通知（ｍｅａｓｕｒｅｍｅｎｔ  ｒｅｐｏｒｔ）として基地局ｅＮＢに送信する（ステップ３３）。
【００４９】
（例２）例２の手順例を図１２を参照して説明する。例２では、測定及び通知が所定のイベントを契機として行われる。図１２に示す例では、基地局ｅＮＢがセル端のユーザ装置ＵＥに閾値を送信する（ステップ４１）。ユーザ装置ＵＥは、隣接セルの下り信号の強度を閾値と比較し（ステップ４２）、隣接セルの下り信号の強度が閾値よりも大きい場合に、隣接セルと在圏セル間のタイミングの差分を測定し（ステップ４３）、タイミングの差分を測定通知として基地局ｅＮＢに送信する（ステップ４４）。
【００５０】
基地局間でのバックホール回線（例：Ｘ２インターフェース）を用いたタイミング差分送受信の手順例を図１３を参照して説明する。基地局ｅＮＢ１は、Ｄ２Ｄ発見ネゴシエーション要求を基地局ｅＮＢ２に送信する（ステップ５１）。Ｄ２Ｄ発見ネゴシエーション要求を受信した基地局ｅＮＢ２は、基地局ｅＮＢ１に対してＤ２Ｄ発見ネゴシエーション応答を送信する（ステップ５２）。当該Ｄ２Ｄ発見ネゴシエーション応答の中に、配下のユーザ装置ＵＥから受信したタイミング差分の情報が含まれる。また、Ｄ２Ｄ発見ネゴシエーション要求の中に、配下のユーザ装置ＵＥから受信したタイミング差分の情報が含まれることとしてもよい。
【００５１】
＜第２の方法の変形例＞
セル端のユーザ装置ＵＥは、タイミング差分推定結果を、発見信号により周囲のユーザ装置ＵＥに送信（ブロードキャスト）してもよい。これは、例えば、ユーザ装置ＵＥがＲＲＣアイドル状態にあるため、基地局ｅＮＢと通信できないか、通信のために処理量を要するような場合に行うことができる。
【００５２】
この場合にセル端のユーザ装置ＵＥが送信する発見信号には、タイミング差分の情報が含まれる。例えば、４ビットのメッセージセグメントが、タイミング差分（オフセット）のサブフレーム数を示すようにする。一例として、００１１が３サブフレーム分のタイミング差分を示す。  
また、例えば、２ビットのメッセージセグメントが隣接セルからの発見信号を監視すべきサブフレーム数（期間の長さ）を示すようにする。一例として、１０は、隣接セルからの発見信号を２サブフレーム分監視することを示す。
【００５３】
本例では、周辺のユーザ装置ＵＥが、タイミング差分情報を含む発見信号を受信すると、当該ユーザ装置ＵＥが自身の発見信号にタイミング差分情報を含め、当該発見信号を送信する。
【００５４】
また、ユーザ装置ＵＥが、周辺のユーザ装置ＵＥに発見信号でタイミング差分情報を送信するかどうかを決定するための閾値を、基地局ｅＮＢが送信してもよい。この場合、ユーザ装置ＵＥは、基地局ｅＮＢからの下り信号の強度が閾値よりも小さい場合（例：セル端に存在する場合）にのみ、周辺のユーザ装置ＵＥにタイミング差分情報を含む発見信号を送信する。この例を図１４に示す。図１４では、ユーザ装置ＵＥ１とユーザ装置ＵＥ２における基地局ｅＮＢからの下り信号の強度が閾値よりも小さいので、ユーザ装置ＵＥ１から発見信号に含めて送信されたタイミング差分情報をユーザ装置ＵＥ２が受信し（ステップ６１）、ユーザ装置ＵＥ２は、当該情報を発見信号に含め、ユーザ装置ＵＥ３に転送している（ステップ６２）。
【００５５】
タイミング差分情報を受信した周辺のユーザ装置ＵＥは、自分自身の判断、もしくは基地局ｅＮＢからの指示に基づいて、隣接セルからの発見信号を監視するか否かを決定する。
【００５６】
次に変形例における具体例を図１５（ａ）、（ｂ）を参照して説明する。図１５（ａ）に示すように、本例では、ユーザ装置ＵＥ１とユーザ装置ＵＥ３がセルＡに在圏し、ユーザ装置ＵＥ２がセルＢに在圏する。また、本システムでは、各セルにおいてサブフレーム３が発見信号送受信のためのサブフレームとして割り当てられている。
ユーザ装置ＵＥ１の位置は、セルＡのセル端であるとともに、セルＢのセル端でもある。ユーザ装置ＵＥ１は、基地局ｅＮＢ−Ａから下り信号を受信するとともに、基地局ｅＮＢ−Ｂからも下り信号を受信する（ステップ７１）。
ユーザ装置ＵＥ１は、基地局ｅＮＢ−Ａからの下り信号と、基地局ｅＮＢ−Ｂからの下り信号とに基づいて、基地局ｅＮＢ−Ａと基地局ｅＮＢ−Ｂ間のタイミングの差分（本例では、約２．５サブフレーム）を推定する。ユーザ装置ＵＥ１は、セルＡのほうがセルＢよりも約２．５サブフレーム分だけ進んでいることを示す情報を含む発見信号を送信する（ステップ７２）。
【００５７】
ユーザ装置ＵＥ１から送信されたタイミング差分情報を含む発見信号は、同じセル内のユーザ装置ＵＥ３が受信する。そして、ユーザ装置ＵＥ３は、隣接セルＢでの発見サブフレームがサブフレーム５及び６の範囲にあることを学習する。このようにして、ユーザ装置ＵＥ１とＵＥ３は、サブフレーム５及び６において隣接セルＢからの発見信号を監視することができる。
【００５８】
上記のように、ステップ１０１で、同期信号や発見信号を監視すべき範囲を限定するので、非同期環境であっても、ユーザ装置ＵＥは効率的に隣接セルからの発見信号を受信できる。
［ステップ１０２：ユーザ装置ＵＥが隣接セルと同期をとる］
ステップ１０２では、ユーザ装置ＵＥは、ステップ１０１で通知された隣接セル発見信号の監視リソース範囲の中で、隣接セルのユーザ装置ＵＥからの発見信号を監視する。監視の中で、同期信号を受信し、隣接セルと同期をとり、正確なタイミングで発見信号を受信（検出）する。前述したように、同期信号の送受信方法には３種類あり、以下では、ステップ１０２における第１〜第３の方法を詳細に説明する。
【００５９】
なお、本例における同期信号は、例えば所定のパターンからなる信号であり、ユーザ装置ＵＥは、同期信号（所定のパターン）を受信したことを検知すると、所定の時間（後述するＴ）後に発見サブフレームになることを判断し、発見サブフレームにおいて、例えば、発見信号を復号する動作を行うことができる。また、同期信号の中に、上記時間Ｔ、もしくは、発見リソース（時間−周波数リソース）の情報を含めることとしてもよい。これらの事項は、第２の実施の形態でも同様である。
【００６０】
＜ステップ１０２の第１の方法＞
第１の方法では、ユーザ装置ＵＥは、隣接セルの基地局ｅＮＢの下り信号（同期信号）を受信することで、隣接セルと同期をとり、隣接セルからの発見信号を検出する。すなわち、第１の方法では、隣接基地局ｅＮＢから、ユーザ装置ＵＥにおける同期のための同期信号が送信される。
【００６１】
発見サブフレームと同期信号との間の時間として予め時間Ｔが定められており、隣接基地局ｅＮＢから同期信号を受信したユーザ装置ＵＥは、時間Ｔ後に、隣接セルにおける発見サブフレームが開始することを把握でき、正確に発見信号を受信（検出）することができる。
【００６２】
ここで、隣接基地局ｅＮＢから送信される同期信号は、ＰＳＳ／ＳＳＳ等の既存の下り信号であってもよいし、隣接セルのＤ２Ｄ同期のために新たに定義した信号であってもよい。
【００６３】
図１６（ａ）、（ｂ）を参照して具体例を説明する。図１６（ａ）、（ｂ）に示すように、本例では、基地局ｅＮＢ−Ａが下りの帯域（ＤＬ  ｓｐｅｃｔｒｕｍ）により同期信号を送信する（ステップ８１）。セルＢに存在するユーザ装置ＵＥ２は、当該同期信号を基地局ｅＮＢ−Ａから受信することで、隣接セルＡと同期をとる。すなわち、ユーザ装置ＵＥ２は、基地局ｅＮＢ―Ａ及びユーザ装置ＵＥ１と同期をとる。この同期信号の受信は、例えば、非同期検波（Ｎｏｎ−ｃｏｈｅｒｅｎｔ  ｄｅｔｅｃｔｉｏｎ）により行われる。  
ユーザ装置ＵＥ２は、同期信号を受信したことで、隣接セルのユーザ装置ＵＥ１から送信される発見信号のリソース位置（時間−周波数位置であるが、本例では特に時間位置に着目している）を決定でき、ユーザ装置ＵＥ１からの発見信号を検出することができる（ステップ８２）。ここでは、同期検波（ｃｏｈｅｒｅｎｔ  ｄｅｔｅｃｔｉｏｎ）が可能である。  
なお、同期信号は、同期信号を送信するセル（ｉｎｔｒａ−ｃｅｌｌ）における発見サブフレームの中に存在してもよいし、発見サブフレームの中に存在しなくてもよい。図１６に示す例は、同期信号が発見サブフレームの中にない場合の例である。
【００６４】
＜ステップ１０２の第２の方法＞
第２の方法では、特定のユーザ装置ＵＥ（アンカーＵＥと呼ぶ）から、隣接セルのユーザ装置ＵＥに同期信号が送信され、当該ユーザ装置ＵＥは隣接セルと同期をとり、隣接セルからの発見信号を検出する。アンカーＵＥは、当該セルの基地局ｅＮＢと同期がとられている。また、アンカーＵＥは、当該基地局ｅＮＢにより選定されたユーザ装置ＵＥであってもよいし、分散して配置される所定のユーザ装置ＵＥであってもよい。
【００６５】
第１の方法と同様に、発見サブフレームと同期信号との間の時間として予め時間Ｔが定められており、アンカーＵＥから同期信号を受信したユーザ装置ＵＥは、時間Ｔ後に、隣接セルにおける発見サブフレームが開始することを把握でき、正確に発見信号を受信することができる。
【００６６】
アンカーＵＥから送信される同期信号は、ＰＳＳ／ＳＳＳ等の既存の信号であってもよし、隣接セルのＤ２Ｄ同期のための新たな信号であってもよい。また、当該同期信号については、通常のセルラー通信と干渉にならないように、アンカーＵＥに対してスケジューリングがなされる。
【００６７】
図１７（ａ）、（ｂ）を参照して具体例を説明する。図１７（ａ）、（ｂ）に示すように、本例では、セルＡに在圏するアンカーＵＥが上りの帯域（ＵＬ  ｓｐｅｃｔｒｕｍ）を用いて同期信号を送信する（ステップ９１）。隣接セルに存在するユーザ装置ＵＥ２は、当該同期信号をアンカーＵＥから受信することで、隣接セルＡと同期をとる、すなわち、アンカーＵＥ及びユーザ装置ＵＥ１と同期をとる。  
同期信号を受信したことで、ユーザ装置ＵＥ２は、隣接セルのユーザ装置ＵＥ１から送信される発見信号のリソース（本例では時間位置に着目）を把握でき、ユーザ装置ＵＥ１からの発見信号を検出することができる（ステップ９２）。  
なお、同期信号は、同期信号を送信するセル（ｉｎｔｒａ−ｃｅｌｌ）における発見サブフレームの中に存在してもよいし、発見サブフレームの中に存在しなくてもよい。図１７に示す例は、同期信号が発見サブフレームの中にない場合の例である。
【００６８】
＜ステップ１０２の第３の方法＞
第３の方法では、ユーザ装置ＵＥは、発見信号とともに同期信号を送信する。これらの信号を受信する隣接セルのユーザ装置ＵＥは、最初に同期信号を検出し、次に発見信号を検出する。
【００６９】
ユーザ装置ＵＥから発見信号とともに送信される同期信号は、ＰＳＳ／ＳＳＳ等の既存の信号であってもよし、隣接セルのＤ２Ｄ同期のための新たな信号であってもよい。また、複数のユーザ装置ＵＥが同じ同期信号を送信してもよいし、異なる同期信号を送信してもよい。なお、異なる同期信号とは、例えば、同期信号間で、その内容（パターン等）が異なることである。
【００７０】
また、複数のユーザ装置ＵＥは、同じ時間−周波数リソースで同期信号を送信してもよいし、異なる（互いに干渉しない、ｏｒｔｈｏｇｏｎａｌな）時間−周波数リソースで同期信号を送信してもよい。
【００７１】
図１８（ａ）、（ｂ）を参照して具体例を説明する。図１８（ａ）、（ｂ）に示すように、本例では、セルＡに在圏するユーザ装置ＵＥ１が、上りの帯域（ＵＬ  ｓｐｅｃｔｒｕｍ）により、発見信号とともに同期信号を送信する（ステップ３１１、３１２）。セルＢに存在するユーザ装置ＵＥ２は、当該同期信号をユーザ装置ＵＥ１から受信することで、ユーザ装置ＵＥ１と同期をとる。そして、ユーザ装置ＵＥ１から送信された発見信号を検出する（ステップ３１２）。
【００７２】
なお、同期信号は、同期信号を送信するセル（ｉｎｔｒａ−ｃｅｌｌ）における発見サブフレームの中に存在してよいし、発見サブフレームの中に存在しなくてもよい。図１８に示す例は、同期信号が発見サブフレームの中にある場合の例である。
【００７３】
［装置構成例］
図１９に、本実施の形態におけるユーザ装置ＵＥの機能構成図を示す。図１９に示す例は、ステップ１０１の第１の方法の動作を行う装置例である。ステップ１０２についてはどの方法でも対応可能である。
【００７４】
図１９は、ユーザ装置ＵＥにおける本実施の形態に関わる主要な機能を特に示すものである。例えば、ユーザ装置ＵＥは、ＬＴＥ（ＬＴＥ−Ａｄｖａｎｃｅｄを含む）に準拠したＵＥとして動作するために必要な機能を更に備えてもよい。
【００７５】
図１９に示すように、ユーザ装置ＵＥは、受信部１０１、発見信号検出部１０２、制御信号検出部１０３、発見信号監視範囲決定部１０４、同期信号検出部１０５、発見信号生成部１０６、同期信号生成部１０７、送信部１０８を備える。
【００７６】
受信部１０１は、発見信号、同期信号、基地局ｅＮＢからの制御信号等を受信する。発見信号検出部１０２は、発見信号監視範囲決定部１０４により決定されたリソース範囲で監視（受信信号復調等）を行い、リソース範囲内で同期信号検出部１０５により同期信号が検出された場合に、同期信号に基づき、正確なタイミングで（隣接セルに同期した時間位置で）発見信号の検出（デコード）を行う。
【００７７】
制御信号検出部１０３は、基地局ｅＮＢから受信する制御信号を復調、デコードし、隣接セルにおけるリソース範囲（発見サブフレームの範囲等）を取得し、発見信号監視範囲決定部１０４に渡し、発見信号監視範囲決定部１０４は、当該リソース範囲を発見信号監視範囲として決定する。
【００７８】
発見信号生成部１０６は発見信号生成を行い、送信部１０８から送信する。また、同期信号生成部１０７は、自身がアンカーＵＥとなる場合、もしくは、同期信号を発見信号とともに送信する場合等に同期信号を生成する。
【００７９】
なお、図１９に示す機能区分は一例に過ぎない。例えば、ユーザ装置ＵＥを、セルを形成する基地局を備える無線通信システムにおいて使用され、装置対装置通信の発見信号を受信するユーザ装置であって、在圏セルの基地局から、隣接セルにおいて発見信号が送信され得るリソースの範囲を受信する情報受信部と、前記情報受信部により受信したリソースの範囲の中で、隣接セルに同期した同期信号を受信したことに応じて、隣接セルに同期した時間位置で発見信号を受信する発見信号受信部と、を備えることを特徴とするユーザ装置として構成してもよい。
【００８０】
図２０に、本実施の形態における基地局ｅＮＢの機能構成図を示す。図２０に示す例は、ステップ１０１の第１の方法の動作を実行する例である。ステップ１０２についてはどの方法でも対応可能である。
【００８１】
図２０は、基地局ｅＮＢにおける本実施の形態に関わる主要な機能を特に示すものである。例えば、基地局ｅＮＢは、ＬＴＥ（ＬＴＥ−Ａｄｖａｎｃｅｄを含む）に準拠したｅＮＢとして動作するために必要な機能を更に備えてもよい。
【００８２】
図２０に示すように、基地局ｅＮＢは、受信部２０１、発見信号監視範囲決定部２０２、制御信号生成部２０３、同期信号生成部２０４、送信部２０５を備える。
【００８３】
受信部２０１は、隣接セルのユーザ装置ＵＥから発見信号を受信し、発見信号のリソースの情報を発見信号監視範囲決定部２０２に渡す。発見信号監視範囲決定部２０２は、当該リソースの情報に基づいて、自セルのユーザ装置ＵＥが、隣接セルからの発見信号を監視するリソース範囲（隣接セルにおいて発見信号が送受信され得るリソースの範囲）を決定し、当該リソース範囲を制御信号生成部２０３に渡す。制御信号生成部２０３は、上記リソース範囲を含む制御信号を生成し、送信部２０５から自セルに在圏するユーザ装置ＵＥに送信する。
【００８４】
また、ステップ１０２の第１の方法において、同期信号生成部２０４が同期信号を生成し、送信部２０５から送信する。
【００８５】
なお、図２０に示す機能区分は一例に過ぎない。例えば、基地局ｅＮＢを、無線通信システムにおいて使用され、装置対装置通信の発見信号を送受信するユーザ装置と通信する基地局であって、隣接セルに在圏するユーザ装置から発見信号を受信し、当該発見信号に基づいて、隣接セルにおいて発見信号が送受信され得るリソースの範囲を決定するリソース範囲決定部と、前記リソース範囲決定部により決定されたリソースの範囲を、前記基地局のセルに在圏するユーザ装置に送信するリソース範囲送信部と、を備えることを特徴とする基地局として構成してもよい。
【００８６】
図２１に、本実施の形態におけるユーザ装置ＵＥの他の機能構成図を示す。図２１に示す例は、ステップ１０１の第２の方法に対応する。ステップ１０２についてはどの方法でも対応可能である。
【００８７】
図２１は、ユーザ装置ＵＥにおける本実施の形態に関わる機能を特に示すものである。例えば、ユーザ装置ＵＥは、ＬＴＥ（ＬＴＥ−Ａｄｖａｎｃｅｄを含む）に準拠したＵＥとして動作するために必要な機能を更に備えてもよい。
【００８８】
図２１に示すように、ユーザ装置ＵＥは、受信部３０１、発見信号検出部３０２、差分決定部３０３、同期信号検出部３０４、制御信号生成部３０５、発見信号生成部３０６、同期信号生成部３０７、送信部３０８を備える。
【００８９】
受信部３０１は、発見信号、同期信号、基地局ｅＮＢからの情報等を受信する。発見信号検出部３０２は、差分決定部３０３により決定された隣接セルとのリソース差分に基づき、隣接セルで発見信号が送受信され得るリソース範囲を決定し、当該リソース範囲で監視（受信信号復調等）を行い、同期信号検出部３０４により同期信号が検出された場合に、同期信号に基づき、正確なタイミング（隣接セルに同期した時間位置）で発見信号の検出（デコード）を行う。
【００９０】
差分決定部３０３は、在圏基地局ｅＮＢと隣接基地局ｅＮＢから受信する下り信号に基づいて、リソース差分（例：タイミング差分）を決定し、当該情報を制御信号生成部３０５に渡す。また、当該情報は発見信号検出部３０２にも渡される。なお、発見信号検出部３０２は、図１９に示したユーザ装置ＵＥと同様に、基地局ｅＮＢから受信する制御信号に含まれるリソース範囲情報を用いて、発見信号監視を行うこともできる。
【００９１】
制御信号生成部３０５は、リソース差分を含む制御信号を生成し、送信部３０８から基地局ｅＮＢに送信する。発見信号生成部３０６は発見信号生成を行い、送信部１０８から送信する。また、変形例の場合、発見信号生成部３０６はリソース差分を含む発見信号を生成し、送信する。同期信号生成部１０７は、自身がアンカーＵＥとなる場合、もしくは、同期信号を発見信号とともに送信する場合等に同期信号を生成する。
【００９２】
なお、図２１に示す機能区分は一例に過ぎない。例えば、ユーザ装置ＵＥを、セルを形成する基地局を備える無線通信システムにおいて使用され、装置対装置通信の発見信号を受信するユーザ装置であって、在圏セルの基地局から受信する下り信号、及び隣接セルの基地局から受信する下り信号に基づいて、在圏セルと隣接セルとの間のタイミングの差分を決定する差分決定部と、前記差分決定部により決定されたタイミングの差分を、在圏セルの基地局に送信する情報送信部と、前記タイミングの差分に基づき、隣接セルにおいて発見信号が送信され得るリソースの範囲を取得し、当該リソースの範囲の中で、隣接セルに同期した同期信号を受信したことに応じて、隣接セルに同期した時間位置で発見信号を受信する発見信号受信部と、を備えることを特徴とするユーザ装置として構成してもよい。
【００９３】
図２２に、本実施の形態における基地局ｅＮＢの他の機能構成図を示す。図２２に示す例は、ステップ１０１の第２の方法に対応する。ステップ１０２についてはどの方法でも対応可能である。
【００９４】
図２２は、基地局ｅＮＢにおける本実施の形態に関わる機能を特に示すものである。例えば、基地局ｅＮＢは、ＬＴＥ（ＬＴＥ−Ａｄｖａｎｃｅｄを含む）に準拠したｅＮＢとして動作するために必要な機能を更に備えてもよい。
【００９５】
図２２に示すように、基地局ｅＮＢは、受信部４０１、制御信号検出部４０２、発見信号監視範囲決定部４０３、制御信号生成部４０４、同期信号生成部４０５、バックホール回線ＩＦ４０６、送信部４０７を備える。
【００９６】
受信部４０１は、自セルのユーザ装置ＵＥからリソース差分を含む制御信号を受信する。制御信号検出部４０２は、制御信号からリソース差分を取得し、リソース差分を発見信号監視範囲決定部４０３に渡す。発見信号監視範囲決定部４０３は、当該リソース差分の情報に基づいて、自セルのユーザ装置ＵＥが、隣接セルからの発見信号を監視するリソース範囲（隣接セルにおいて発見信号が送受信され得るリソースの範囲）を決定し、当該リソース範囲を制御信号生成部４０４に渡す。制御信号生成部４０４は、リソース範囲を含む制御信号を生成し、送信部４０７から自セルに在圏するユーザ装置ＵＥに送信する。
【００９７】
また、制御信号生成部４０４は、リソース差分の情報を制御信号検出部４０２から受け取り、当該情報をバックホール回線ＩＦ４０６により、隣接基地局ｅＮＢに送信する。また、バックホール回線ＩＦ４０６は、隣接基地局ｅＮＢから受信するリソース差分を受信し、それを発見信号監視範囲決定部４０３に渡す機能も有する。発見信号監視範囲決定部４０３は、当該リソース差分に基づき、隣接セルからの発見信号を監視するリソース範囲を決定することもできる。
【００９８】
また、ステップ１０２の第１の方法において、同期信号生成部４０５が同期信号を生成し、送信部４０７から送信する。
【００９９】
なお、図２２に示す機能区分は一例に過ぎない。例えば、基地局ｅＮＢを、無線通信システムにおいて使用され、装置対装置通信の発見信号を送受信するユーザ装置と通信する基地局であって、前記基地局のセルに在圏するユーザ装置から、当該セルと隣接セルとの間のタイミングの差分を受信し、当該タイミングの差分に基づいて、隣接セルにおいて発見信号が送受信され得るリソースの範囲を決定するリソース範囲決定部と、前記リソース範囲決定部により決定されたリソースの範囲を、前記基地局のセルに在圏するユーザ装置に送信するリソース範囲送信部と、を備えることを特徴とする基地局として構成してもよい。
【０１００】
（第２の実施の形態の概要）
次に、本発明の第２の実施の形態を説明する。
【０１０１】
図２３は、本実施の形態において、発見信号を送信する側のユーザ装置ＵＥが実行する処理の流れの概要を示すフローチャートである。
【０１０２】
ステップ２０１）ユーザ装置ＵＥは、隣接セルからの発見信号が存在し得る（ラフな）リソース範囲（例：時間−周波数範囲、時間範囲）を決定する。つまり、隣接セルで発見信号が検出され得るリソース範囲を決定する。なお、ステップ２０１における上記の「リソース範囲」は、具体例では、主に時間の範囲であるが、リソース範囲は時間−周波数範囲でもよい。
【０１０３】
ここでの決定方法は、第１の実施の形態と同様であり、第１の方法と第２の方法がある。第１の方法では、基地局ｅＮＢが隣接セルから送信された発見信号を観測し、その観測に基づいて隣接セルにおける発見信号受信のリソース範囲を検出し、その情報を配下のユーザ装置ＵＥに通知する。
【０１０４】
第２の方法では、セル端のユーザ装置ＵＥが隣接セルの基地局ｅＮＢから下り信号を受信することにより、自セルと隣接セルとの間のサブフレームのタイミングの差分を検出し、その差分の情報を自セルの基地局ｅＮＢに通知する。そして、当該基地局ｅＮＢは、配下のユーザ装置ＵＥに差分の情報を通知する。これにより、当該ユーザ装置ＵＥは、隣接セルにおける発見期間の範囲（リソース範囲）を把握することができる。
【０１０５】
ステップ２０２）ステップ２０１において、隣接セルから発見信号が検出され得るリソースの範囲を通知されたユーザ装置ＵＥは、当該範囲の期間において、隣接セルにおけるタイミングと同期をとり、隣接セルにおける発見サブフレームで、発見信号を送信する。
【０１０６】
隣接セルと同期をとるためにユーザ装置ＵＥは隣接セルから同期信号を受信する。その具体的な方法としては、２種類あり、第１の方法では、ユーザ装置ＵＥは隣接セルの基地局ｅＮＢから送信された同期信号を受信する。第２の方法では、ユーザ装置ＵＥは、隣接セルにおいて選択されたユーザ装置ＵＥ（ａｎｃｈｏｒ  ＵＥ）から同期信号を受信する。
【０１０７】
以下、第２の実施の形態をより詳細に説明する。
【０１０８】
［ステップ２０１：ユーザ装置ＵＥが、隣接セルにおいて発見信号が検出され得るリソース範囲を把握する］
＜ステップ２０１における第１の方法＞
まず、ステップ２０１における第１の方法について詳細に説明する。前述したように、第１の方法では、基地局ｅＮＢが、隣接セルから送信された発見信号を観測し、その観測に基づいて隣接セルにおける発見信号送受信のラフなリソース範囲（例：時間−周波数範囲、時間範囲）を検出し、その情報を含む信号を配下のユーザ装置ＵＥに通知する。
【０１０９】
基地局ｅＮＢが配下のユーザ装置ＵＥに通知する信号には、例えば、絶対的な時間−周波数範囲、絶対的な時間範囲、もしくは、自セルにおける発見リソース位置との差分の情報等が含まれる。当該信号を通知する方法に限定はないが、例えば、報知情報等のブロードキャストシグナリング、ＲＲＣシグナリング、（Ｅ）ＰＤＣＣＨシグナリング等で通知することができる。また、これらの組み合わせを使用してもよい。
【０１１０】
第１の方法における具体例を図２４（ａ）、（ｂ）を参照して説明する。図２４（ａ）に示すように、ユーザ装置ＵＥ１とユーザ装置ＵＥ３がセルＡに在圏し、ユーザ装置ＵＥ２がセルＢに在圏する。本システムでは、各セルにおいてサブフレーム３が発見信号送受信のためのサブフレームとして割り当てられているものとする。また、以下の例では、リソース範囲として、特に時間範囲に着目して説明するが、基地局ｅＮＢが、受信する発見信号に基づいて、隣接セルの発見リソースの周波数範囲（帯域範囲）も把握して、時間差分とともに周波数差分（又は、隣接セル使用周波数）を通知してもよい。
【０１１１】
図２４（ａ）に示すように、ユーザ装置ＵＥ１の位置は、セルＡのセル端であるとともに、セルＢのセル端でもある。ユーザ装置ＵＥ１は、サブフレーム３において発見信号を送信し、発見信号はユーザ装置ＵＥ３により受信されるとともに、セルＢの基地局ｅＮＢ−Ｂにも受信される（ステップ２１１）。
【０１１２】
発見信号を受信した基地局ｅＮＢ−Ｂは、隣接セルＡの発見期間は自局のタイミングにおいては、サブフレーム０及び１に該当すると判断し、自局におけるユーザ装置ＵＥ２に、隣接セルにおける発見サブフレームが、自局におけるサブフレーム０及び１の範囲にあることを通知する（ステップ２１２）。
【０１１３】
図２４（ｂ）に示すように、この通知を受けたユーザ装置ＵＥ２は、隣接セルＡのユーザ装置ＵＥ１へ発見信号をサブフレーム０と１の範囲において送信することを決定する。その後、後述するように、同期信号により、隣接セルにおける検出タイミングにあわせて発見信号を送信する。
【０１１４】
自局の基地局ｅＮＢから上記の通知を受けたユーザ装置ＵＥ（例：上記のユーザ装置ＵＥ２）は、常に隣接セルのタイミングで発見信号を送信することとしてもよいし、所定の条件を満たす場合にのみ送信することとしてもよい。
【０１１５】
後者の場合、例えば、当該ユーザ装置ＵＥは、在圏基地局ｅＮＢと隣接基地局ｅＮＢからの参照信号に基づいて隣接セルのタイミングで発見信号を送信することを決定する。例えば、隣接基地局ｅＮＢからの参照信号の強度が所定の閾値より大きく、在圏基地局ｅＮＢからの参照信号の強度が所定の閾値よりも小さい場合に隣接セルのタイミングで発見信号を送信することを決定する。当該閾値は、例えば、在圏基地局ｅＮＢからの下り信号により適宜更新することができる。当該下り信号は、ブロードキャストシグナリング、（ｅ）ＰＤＣＣＨ、ＲＲＣシグナリング等により通知されるものである。また、在圏基地局ｅＮＢもしくは隣接基地局ｅＮＢからユーザ装置ＵＥに対して、隣接セルのタイミングで発見信号を送信するよう指示することとしてもよい。
【０１１６】
ユーザ装置ＵＥが隣接セルのタイミングで発見信号を送信するかどうかを決定する上記の方法は、他の例でも同様である。
【０１１７】
＜ステップ２０１における第２の方法＞
次に、ステップ２０１における第２の方法について詳細に説明する。前述したように、第２の方法では、セル端のユーザ装置ＵＥが隣接セルの基地局ｅＮＢ等から下り信号を受信することにより、自セルと隣接セルとの間のサブフレームのタイミングの差分を検出し、その差分の情報を自セルの基地局ｅＮＢに通知する。そして、基地局ｅＮＢは、配下のユーザ装置ＵＥに差分の情報を通知する。
また、当該基地局ｅＮＢは、当該タイミングの差分を隣接基地局ｅＮＢにバックホール回線（例：Ｘ２インターフェース）を用いて通知することとしてもよい。そして、通知を受けた隣接基地局ｅＮＢは、配下のユーザ装置ＵＥに対して、隣接セルへ発見信号を送信すべきリソース範囲を通知する。通知する情報は、絶対的な情報でもよいし、発見リソース位置の自局との差分でもよい。また、当該情報は、例えば、ブロードキャストシグナリング、ＲＲＣシグナリング、（ｅ）ＰＤＤＣＨシグナリング、もしくはこれらの組み合わせで送信される。
【０１１８】
セル端のユーザ装置ＵＥが、隣接セルの基地局ｅＮＢから下り信号を測定し、差分の通知を行うことは、例えば、当該隣接セルの基地局ｅＮＢからのシグナリングを契機として行われることとしてよい。
【０１１９】
また、当該測定及び通知は、ある条件を満足する等のイベントを契機としてもよい。当該イベントとしては、例えば、隣接セルからの発見信号の強度が所定の閾値よりも大きいこと等がある。
【０１２０】
次に、図２５（ａ）、（ｂ）を参照して、第２の方法の具体例を説明する。図２５（ａ）に示すように、本例では、ユーザ装置ＵＥ１とユーザ装置ＵＥ３がセルＡに在圏し、ユーザ装置ＵＥ２がセルＢに在圏する。また、本システムでは、各セルにおいてサブフレーム３が発見信号送受信のためのサブフレームとして割り当てられている。以下の例においても、隣接セルの発見信号のリソース範囲として、特に時間の範囲に着目して説明するが、ユーザ装置ＵＥが、在圏基地局ｅＮＢ及び隣接基地局ｅＮＢからの下り信号に基づいて、隣接セルの発見リソースの周波数範囲（帯域範囲）を把握して、時間差分とともに隣接セル使用周波数もしくは周波数差分を在圏基地局ｅＮＢに通知してもよい。
図２５（ａ）に示すように、ユーザ装置ＵＥ１の位置は、セルＡのセル端であるとともに、セルＢのセル端でもある。ユーザ装置ＵＥ１は、基地局ｅＮＢ−Ａから下り信号を受信するとともに、基地局ｅＮＢ−Ｂからも下り信号を受信する（ステップ２２１）。
ユーザ装置ＵＥ１は、基地局ｅＮＢ−Ａからの下り信号と、基地局ｅＮＢ−Ｂからの下り信号とに基づいて、基地局ｅＮＢ−Ａと基地局ｅＮＢ−Ｂ間のタイミングの差分（本例では、約２．５サブフレーム）を推定する。ユーザ装置ＵＥ１は、セルＡのほうがセルＢよりも約２．５サブフレーム分だけ進んでいることを示す情報を基地局ｅＮＢ−Ａに通知する（ステップ２２２）。
【０１２１】
上記通知を受信した基地局ｅＮＢ−Ａは、バックホール回線を用いて当該タイミングの差分情報を基地局ｅＮＢ−Ｂに通知する（ステップ２２３）。また、基地局ｅＮＢ−Ａは、配下のユーザ装置ＵＥ３に対し、隣接セルＢの発見サブフレームのリソース範囲として、サブフレーム３よりも２．５サブフレーム分だけ遅れた時間位置に対応するサブフレーム５及び６を通知する（ステップ２２４）。
【０１２２】
また、基地局ｅＮＢ−Ｂは、配下のユーザ装置ＵＥ２に対し、隣接セルＡの発見サブフレームのリソース範囲として、サブフレーム３よりも２．５サブフレーム分だけ進んだ時間位置に対応するサブフレーム０及び１を通知する（ステップ２２５）。
【０１２３】
そして、図２５（ｂ）に示すように、セルＡのユーザ装置ＵＥ１、３は、隣接セルＢの発見サブフレームの時間位置を含むサブフレーム５及び６の範囲で隣接セルＢ（ユーザ装置ＵＥ２）へ発見信号を送信することを決定する。また、セルＢのユーザ装置ＵＥ２は、隣接セルＡの発見サブフレームの時間位置を含むサブフレーム０及び１で隣接セルＡ（ユーザ装置ＵＥ１、ＵＥ３）へ発見信号を送信することを決定する。
【０１２４】
ここで、第２の方法においてセル端のユーザ装置ＵＥが実行する測定及び通知の手順例については、第１の実施の形態と同様であり、図１１〜図１３を用いて説明したとおりである。
【０１２５】
＜第２の方法の変形例＞
セル端のユーザ装置ＵＥは、タイミング差分推定結果を、発見信号により周囲のユーザ装置ＵＥに送信（ブロードキャスト）してもよい。これは、例えば、ユーザ装置ＵＥがＲＲＣアイドル状態にあるため、基地局ｅＮＢと通信できないか、通信のために処理量を要するような場合に行うことができる。
【０１２６】
この場合にセル端のユーザ装置ＵＥが送信する発見信号には、タイミング差分の情報が含まれる。例えば、４ビットのメッセージセグメントが、タイミング差分（オフセット）のサブフレーム数を示すようにする。一例として、００１１が３サブフレーム分のタイミング差分を示す。  
また、例えば、２ビットのメッセージセグメントが隣接セルへ発見信号を送信すべきサブフレーム数（期間の長さ）を示すようにする。一例として、１０は、隣接セルへ発見信号を２サブフレーム分の長さの期間、送信できることを示す。
【０１２７】
本例では、周辺のユーザ装置ＵＥが、タイミング差分情報を含む発見信号を受信すると、当該ユーザ装置ＵＥが自身の発見信号にタイミング差分情報を含め、当該発見信号を送信する。
【０１２８】
また、ユーザ装置ＵＥが、周辺のユーザ装置ＵＥに発見信号でタイミング差分情報を送信するかどうかを決定するための閾値を、基地局ｅＮＢが送信してもよい。この場合、例えば、ユーザ装置ＵＥは、基地局ｅＮＢからの下り信号の強度が閾値よりも小さい場合（例：セル端に存在する場合）にのみ、周辺のユーザ装置ＵＥにタイミング差分情報を含む発見信号を送信する。
【０１２９】
次に変形例における具体例を図２６（ａ）、（ｂ）を参照して説明する。図２６（ａ）に示すように、本例では、ユーザ装置ＵＥ１とユーザ装置ＵＥ３がセルＡに在圏し、ユーザ装置ＵＥ２がセルＢに在圏する。また、本システムでは、各セルにおいてサブフレーム３が発見信号送受信のためのサブフレームとして割り当てられている。
ユーザ装置ＵＥ１の位置は、セルＡのセル端であるとともに、セルＢのセル端でもある。ユーザ装置ＵＥ１は、基地局ｅＮＢ−Ａから下り信号を受信するとともに、基地局ｅＮＢ−Ｂからも下り信号を受信する（ステップ２７１）。
ユーザ装置ＵＥ１は、基地局ｅＮＢ−Ａからの下り信号と、基地局ｅＮＢ−Ｂからの下り信号とに基づいて、基地局ｅＮＢ−Ａと基地局ｅＮＢ−Ｂ間のタイミングの差分（本例では、約２．５サブフレーム）を推定する。ユーザ装置ＵＥ１は、セルＡのほうがセルＢよりも約２．５サブフレーム分だけ進んでいることを示す情報を含む発見信号を送信する（ステップ２７２）。
【０１３０】
ユーザ装置ＵＥ１から送信されたタイミング差分情報を含む発見信号は、同じセル内のユーザ装置ＵＥ３が受信する。そして、ユーザ装置ＵＥ３は、隣接セルＢでの発見サブフレームがサブフレーム５及び６の範囲にあることを学習する。このようにして、ユーザ装置ＵＥ１とＵＥ３は、サブフレーム５及び６において隣接セルＢへ発見信号を送信することができる。
【０１３１】
上記のように、ステップ２０１で、同期信号を監視する範囲（発見信号を送信すべき範囲）を限定するので、非同期環境であっても、ユーザ装置ＵＥは効率的に隣接セルにおいて検出できるように発見信号を送信できる。
［ステップ２０２：ユーザ装置ＵＥが隣接セルと同期をとる］
ステップ２０２では、ユーザ装置ＵＥは、ステップ２０１で通知された隣接セル発見信号のリソース範囲の中で、同期信号を受信し、隣接セルと同期をとり、隣接セルのユーザ装置ＵＥへ発見信号を送信する。前述したように、同期信号の送受信方法には２種類あり、以下では、ステップ２０２における第１〜第２の方法を詳細に説明する。
【０１３２】
なお、本例における同期信号は、例えば所定のパターンからなる信号であり、ユーザ装置ＵＥは、同期信号（所定のパターン）を受信したことを検知すると、所定の時間（後述するＴ）後に発見サブフレームになることを判断し、所定の時間後に発見信号を送信する。また、同期信号の中に、上記時間Ｔ、もしくは、発見リソース（時間−周波数リソース）の情報を含めることとしてもよい。
【０１３３】
＜ステップ２０２の第１の方法＞
第１の方法では、ユーザ装置ＵＥは、隣接セルの基地局ｅＮＢの下り信号（同期信号）を受信することで、隣接セルと同期をとり、隣接セルへ発見信号を送信する。
【０１３４】
すなわち、第１の方法では、隣接基地局ｅＮＢから、ユーザ装置ＵＥにおける同期のための同期信号が送信される。
【０１３５】
発見サブフレームと同期信号との間の時間として予め時間Ｔが定められており、隣接基地局ｅＮＢから同期信号を受信したユーザ装置ＵＥは、時間Ｔ後に、隣接セルにおける発見サブフレームが開始することを把握でき、正確なタイミングで発見信号を送信することができる。
【０１３６】
ここで、隣接基地局ｅＮＢから送信される同期信号は、ＰＳＳ／ＳＳＳ等の既存の下り信号であってもよいし、隣接セルのＤ２Ｄ同期のために新たに定義した信号であってもよい。
【０１３７】
図２７（ａ）、（ｂ）を参照して具体例を説明する。図２７（ａ）、（ｂ）に示すように、本例では、基地局ｅＮＢ−Ａが下りの帯域（ＤＬ  ｓｐｅｃｔｒｕｍ）により同期信号を送信する（ステップ２８１）。セルＢに存在するユーザ装置ＵＥ２は、当該同期信号を基地局ｅＮＢ−Ａから受信することで、隣接セルＡと同期をとる。すなわち、ユーザ装置ＵＥ２は、基地局ｅＮＢ―Ａ及びユーザ装置ＵＥ１と同期をとる。この同期信号の受信は、例えば、非同期検波（Ｎｏｎ−ｃｏｈｅｒｅｎｔ  ｄｅｔｅｃｔｉｏｎ）により行われる。  
ユーザ装置ＵＥ２は、同期信号を受信したことで、隣接セルのユーザ装置ＵＥ１が受信する発見信号のリソース位置（時間−周波数位置であるが、本例では特に時間位置に着目している）を決定でき、ユーザ装置ＵＥ１へ正確なタイミングで発見信号を送信することができる（ステップ２８２）。  
なお、同期信号は、同期信号を送信するセル（ｉｎｔｒａ−ｃｅｌｌ）における発見サブフレームの中に存在してもよいし、発見サブフレームの中に存在しなくてもよい。図２７に示す例は、同期信号が発見サブフレームの中にない場合の例である。
【０１３８】
＜ステップ２０２の第２の方法＞
第２の方法では、隣接セルの特定のユーザ装置ＵＥ（アンカーＵＥと呼ぶ）からユーザ装置ＵＥに同期信号が送信され、当該ユーザ装置ＵＥは隣接セルと同期をとり、隣接セルへ発見信号を送信する。隣接セルのアンカーＵＥは、当該隣接セルの基地局ｅＮＢと同期がとられている。また、アンカーＵＥは、当該基地局ｅＮＢにより選定されたユーザ装置ＵＥであってもよいし、分散して配置される所定のユーザ装置ＵＥであってもよい。
【０１３９】
第１の方法と同様に、発見サブフレームと同期信号との間の時間として予め時間Ｔが定められており、アンカーＵＥから同期信号を受信したユーザ装置ＵＥは、時間Ｔ後に、隣接セルにおける発見サブフレームが開始することを把握でき、正確に発見信号を送信することができる。
【０１４０】
アンカーＵＥから送信される同期信号は、ＰＳＳ／ＳＳＳ等の既存の信号であってもよし、隣接セルのＤ２Ｄ同期のための新たな信号であってもよい。また、当該同期信号については、通常のセルラー通信と干渉にならないように、スケジューリングがなされる。
【０１４１】
図２８（ａ）、（ｂ）を参照して具体例を説明する。図２８（ａ）、（ｂ）に示すように、本例では、セルＡに在圏するアンカーＵＥが上りの帯域（ＵＬ  ｓｐｅｃｔｒｕｍ）を用いて同期信号を送信する（ステップ２９１）。隣接セルに存在するユーザ装置ＵＥ２は、当該同期信号をアンカーＵＥから受信することで、隣接セルＡと同期をとる、すなわち、アンカーＵＥ及びユーザ装置ＵＥ１と同期をとる。  
なお、第１、第２の実施の形態において、発見信号や同期信号の送受信に上りの帯域（ＵＬ  ｓｐｅｃｔｒｕｍ）を使用することは一例に過ぎない。
【０１４２】
同期信号を受信したことで、ユーザ装置ＵＥ２は、隣接セルのユーザ装置ＵＥ１が受信する発見信号のリソース（本例では時間位置）を把握でき、正確なタイミングでユーザ装置ＵＥ１へ発見信号を送信することができる（ステップ２９２）。  
なお、同期信号は、同期信号を送信するセル（ｉｎｔｒａ−ｃｅｌｌ）における発見サブフレームの中に存在してもよいし、発見サブフレームの中に存在しなくてもよい。図２８に示す例は、同期信号が発見サブフレームの中にない場合の例である。
【０１４３】
［装置構成例］
図２９に、本実施の形態におけるユーザ装置ＵＥの機能構成図を示す。図２９に示す例は、ステップ２０１の第１の方法に対応する。ステップ２０２についてはどの方法でも対応可能である。
【０１４４】
図２９は、ユーザ装置ＵＥにおける本実施の形態に関わる主要な機能を特に示すものである。例えば、ユーザ装置ＵＥは、ＬＴＥ（ＬＴＥ−Ａｄｖａｎｃｅｄを含む）に準拠したＵＥとして動作するために必要な機能を更に備えてもよい。
【０１４５】
図２９に示すように、ユーザ装置ＵＥは、受信部５０１、発見信号検出部５０２、制御信号検出部５０３、発見信号送信範囲決定部５０４、同期信号検出部５０５、発見信号生成部５０６、同期信号生成部５０７、送信部５０８を備える。
【０１４６】
受信部５０１は、発見信号、同期信号、基地局ｅＮＢからの制御信号等を受信する。発見信号検出部５０２は、発見信号の検出（デコード）を行う。
【０１４７】
制御信号検出部５０３は、基地局ｅＮＢから受信する制御信号を復調、デコードし、隣接セルにおけるリソース範囲（発見サブフレームの範囲等、隣接セルにおいて発見信号が受信され得るリソースの範囲）を取得し、発見信号送信範囲決定部５０４に渡し、発見信号監視範囲決定部５０４は、当該リソース範囲を発見信号送信範囲として決定する。
【０１４８】
リソース範囲は、発見信号生成部５０６等に渡される。発見信号生成部５０６は、当該リソース範囲において、同期信号検出部５０５により同期信号が検出された場合に、同期信号から得られる正確なタイミング（隣接セルに同期した時間位置）で発見信号を生成し、送信部５０８から送信する。また、同期信号生成部５０７は、自身がアンカーＵＥとなる場合等に同期信号を生成する。
【０１４９】
なお、図２９に示す機能区分は一例に過ぎない。例えば、ユーザ装置ＵＥを、セルを形成する基地局を備える無線通信システムにおいて使用され、装置対装置通信の発見信号を送信するユーザ装置であって、在圏セルの基地局から、隣接セルにおいて発見信号が受信され得るリソースの範囲を受信する情報受信部と、前記情報受信部により受信したリソースの範囲の中で、隣接セルに同期した同期信号を受信したことに応じて、隣接セルに同期した時間位置で発見信号を送信する発見信号送信部と、を備えることを特徴とするユーザ装置として構成してもよい。
【０１５０】
図３０に、本実施の形態における基地局ｅＮＢの機能構成図を示す。図３０に示す例は、ステップ２０１の第１の方法に対応する。ステップ２０２についてはどの方法でも対応可能である。
【０１５１】
図３０は、基地局ｅＮＢにおける本実施の形態に関わる主要な機能を特に示すものである。例えば、基地局ｅＮＢは、ＬＴＥ（ＬＴＥ−Ａｄｖａｎｃｅｄを含む）に準拠したｅＮＢとして動作するために必要な機能を更に備えてもよい。
【０１５２】
図３０に示すように、基地局ｅＮＢは、受信部６０１、発見信号送信範囲決定部６０２、制御信号生成部６０３、同期信号生成部６０４、送信部６０５を備える。
【０１５３】
受信部６０１は、隣接セルのユーザ装置ＵＥから発見信号を受信し、発見信号のリソースの情報を発見信号送信範囲決定部６０２に渡す。発見信号送信範囲決定部６０２は、当該リソースの情報に基づいて、自セルのユーザ装置ＵＥが、隣接セルに発見信号を送信するリソース範囲（隣接セルにおいて発見信号が送受信され得るリソースの範囲）を決定し、当該リソース範囲を制御信号生成部６０３に渡す。制御信号生成部６０３は、上記リソース範囲を含む制御信号を生成し、送信部６０５から自セルに在圏するユーザ装置ＵＥに送信する。
【０１５４】
また、ステップ２０２の第１の方法において、同期信号生成部６０４が同期信号を生成し、送信部６０５から送信する。
【０１５５】
なお、図３０に示す機能区分は一例に過ぎない。例えば、基地局ｅＮＢを、無線通信システムにおいて使用され、装置対装置通信の発見信号を送受信するユーザ装置と通信する基地局であって、隣接セルに在圏するユーザ装置から発見信号を受信し、当該発見信号に基づいて、隣接セルにおいて発見信号が送受信され得るリソースの範囲を決定するリソース範囲決定部と、前記リソース範囲決定部により決定されたリソースの範囲を、前記基地局のセルに在圏するユーザ装置に送信するリソース範囲送信部と、を備えることを特徴とする基地局として構成してもよい。
【０１５６】
図３１に、本実施の形態におけるユーザ装置ＵＥの他の機能構成図を示す。図３１に示す例は、ステップ２０１の第２の方法に対応する。ステップ２０２についてはどの方法でも対応可能である。
【０１５７】
図３１は、ユーザ装置ＵＥにおける本実施の形態に関わる機能を特に示すものである。例えば、ユーザ装置ＵＥは、ＬＴＥ（ＬＴＥ−Ａｄｖａｎｃｅｄを含む）に準拠したＵＥとして動作するために必要な機能を更に備えてもよい。
【０１５８】
図３１に示すように、ユーザ装置ＵＥは、受信部７０１、発見信号検出部７０２、差分決定部７０３、同期信号検出部７０４、制御信号生成部７０５、発見信号生成部７０６、同期信号生成部７０７、送信部７０８を備える。
【０１５９】
受信部７０１は、発見信号、同期信号、基地局ｅＮＢからの信号等を受信する。発見信号検出部７０２は、発見信号の検出（デコード）を行う。また、発見信号検出部７０２は、発見信号にリソース差分情報（タイミング差分）が含まれる場合、当該情報を差分決定部７０３に通知する。
【０１６０】
差分決定部７０３は、在圏基地局ｅＮＢと隣接基地局ｅＮＢから受信する下り信号に基づいて、リソース差分（例：タイミング差分）を決定し、当該情報を制御信号生成部７０５に渡す。また、当該情報は発見信号生成部７０６にも渡される。なお、発見信号生成部７０６は、図２９に示したユーザ装置ＵＥと同様に、基地局ｅＮＢから受信する制御信号に含まれるリソース範囲情報を用いて、発見信号送信を行う機能も有する。
【０１６１】
制御信号生成部７０５は、リソース差分情報を含む制御信号を生成し、送信部７０８から送信する。
【０１６２】
発見信号生成部７０６は、リソース差分に基づいて、隣接セルにおいて発見信号が検出されるリソース範囲を取得し、当該リソース範囲において、同期信号検出部７０４により同期信号が検出された場合に、同期信号から得られる正確なタイミング（隣接セルに同期した時間位置）で発見信号を生成し、送信部７０８から送信する。また、同期信号生成部７０７は、自身がアンカーＵＥとなる場合等に同期信号を生成する。また、発見信号生成部７０６は、リソース差分を含む発見信号を生成し、送信部７０８から送信することもできる。
【０１６３】
なお、図３１に示す機能区分は一例に過ぎない。例えば、ユーザ装置ＵＥを、セルを形成する基地局を備える無線通信システムにおいて使用され、装置対装置通信の発見信号を送信するユーザ装置であって、在圏セルの基地局から受信する下り信号、及び隣接セルの基地局から受信する下り信号に基づいて、在圏セルと隣接セルとの間のタイミングの差分を決定する差分決定部と、前記差分決定部により決定されたタイミングの差分を、在圏セルの基地局に送信する情報送信部と、前記タイミングの差分に基づき、隣接セルにおいて発見信号が受信され得るリソースの範囲を取得し、当該リソースの範囲の中で、隣接セルに同期した同期信号を受信したことに応じて、隣接セルに同期した時間位置で発見信号を送信する発見信号送信部と、を備えることを特徴とするユーザ装置として構成してもよい。
【０１６４】
図３２に、本実施の形態における基地局ｅＮＢの他の機能構成図を示す。図３２に示す例は、ステップ２０１の第２の方法に対応する。ステップ２０２についてはどの方法でも対応可能である。
【０１６５】
図３２は、基地局ｅＮＢにおける本実施の形態に関わる機能を特に示すものである。例えば、基地局ｅＮＢは、ＬＴＥ（ＬＴＥ−Ａｄｖａｎｃｅｄを含む）に準拠したｅＮＢとして動作するために必要な機能を更に備えてもよい。
【０１６６】
図３２に示すように、基地局ｅＮＢは、受信部８０１、制御信号検出部８０２、発見信号送信範囲決定部８０３、制御信号生成部８０４、同期信号生成部８０５、バックホール回線ＩＦ８０６、送信部８０７を備える。
【０１６７】
受信部８０１は、自セルのユーザ装置ＵＥからリソース差分を含む制御信号を受信する。制御信号検出部８０２は、制御信号からリソース差分（例：タイミングの差分）を取得し、リソース差分を発見信号送信範囲決定部８０３に渡す。発見信号送信範囲決定部８０３は、当該リソース差分の情報に基づいて、自セルのユーザ装置ＵＥが、隣接セルへ発見信号を送信するリソース範囲（隣接セルにおいて発見信号が送受信され得るリソースの範囲）を決定し、当該リソース範囲を制御信号生成部８０４に渡す。制御信号生成部８０４は、リソース範囲を含む制御信号を生成し、送信部８０７から自セルに在圏するユーザ装置ＵＥに送信する。
【０１６８】
また、制御信号生成部８０４は、リソース差分の情報を制御信号検出部８０２から受け取り、当該情報をバックホール回線ＩＦ８０６により、隣接基地局ｅＮＢに送信する。また、バックホール回線ＩＦ８０６は、隣接基地局ｅＮＢから受信するリソース差分を受信し、それを発見信号送信範囲決定部８０３に渡す機能も有する。発見信号送信範囲決定部８０３は、当該リソース差分に基づき、隣接セルへ発見信号を送信するリソース範囲を決定することもできる。
【０１６９】
また、ステップ２０２の第１の方法において、同期信号生成部８０５が同期信号を生成し、送信部８０７から送信する。
【０１７０】
なお、図３２に示す機能区分は一例に過ぎない。例えば、基地局ｅＮＢを、無線通信システムにおいて使用され、装置対装置通信の発見信号を送受信するユーザ装置と通信する基地局であって、前記基地局のセルに在圏するユーザ装置から、当該セルと隣接セルとの間のタイミングの差分を受信し、当該タイミングの差分に基づいて、隣接セルにおいて発見信号が送受信され得るリソースの範囲を決定するリソース範囲決定部と、前記リソース範囲決定部により決定されたリソースの範囲を、前記基地局のセルに在圏するユーザ装置に送信するリソース範囲送信部と、を備えることを特徴とする基地局として構成してもよい。
【０１７１】
また、第１の実施の形態において、ユーザ装置ＵＥ、基地局ｅＮＢはそれぞれ、ステップ１０１、１０２のどの方法にも対応できるように、全ての方法に対応する機能を持つこととしてもよい。第２の実施の形態においても、ユーザ装置ＵＥ、基地局ｅＮＢはそれぞれ、ステップ２０１、２０２のどの方法にも対応できるように、全ての方法に対応する機能を持つこととしてもよい。
【０１７２】
また、第１の実施の形態、第２の実施の形態を分けて説明したが、ユーザ装置ＵＥ、基地局ｅＮＢは、それぞれ、第１の実施の形態、及び第２の実施の形態の機能の両方を含むように構成してもよい。
【０１７３】
（実施の形態の効果）
以上説明したように、本発明の実施の形態によれば、移動通信システムのセル間非同期環境においても、セルを跨ってユーザ装置ＵＥ間で発見信号の送受信を行うことが可能になる。
【０１７４】
以上、本発明の各実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置ＵＥ及び基地局ｅＮＢは機能的なブロック図を用いて説明されたが、そのような装置はハードウェアで、ソフトウェアで又はそれらの組み合わせで実現されてもよい。本発明に従って動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【符号の説明】
【０１７５】
ＵＥ  ユーザ装置
ｅＮＢ  基地局
１０１、５０１  受信部
１０２、５０２  発見信号検出部
１０３、５０３  制御信号検出部
１０４  発見信号監視範囲決定部
５０４  発見信号送信範囲決定部
１０５、５０５  同期信号検出部
１０６、５０６  発見信号生成部
１０７、５０７  同期信号生成部
１０８、５０８  送信部
２０１、６０１  受信部
２０２  発見信号監視範囲決定部
６０２  発見信号送信範囲決定部
２０３、６０３  制御信号生成部
２０４、６０４  同期信号生成部
２０５、６０５  送信部
３０１、７０１  受信部
３０２、７０２  発見信号検出部
３０３、７０３  差分決定部
３０４、７０４  同期信号検出部
３０５、７０５  制御信号生成部
３０６、７０６  発見信号生成部
３０７、７０７  同期信号生成部
３０８、７０８  送信部
４０１、８０１  受信部
４０２、８０２  制御信号検出部
４０３  発見信号監視範囲決定部
８０３  発見信号送信範囲決定部
４０４、８０４  制御信号生成部
４０５、８０５  同期信号生成部
４０６、８０６  バックホール回線ＩＦ
４０７、８０７  送信部
【図１】
0005973967.tif 000002
【図２】
0005973967.tif 000003
【図３】
0005973967.tif 000004
【図４】
0005973967.tif 000005
【図５】
0005973967.tif 000006
【図６】
0005973967.tif 000007
【図７】
0005973967.tif 000008
【図８】
0005973967.tif 000009
【図９】
0005973967.tif 000010
【図１０】
0005973967.tif 000011
【図１１】
0005973967.tif 000012
【図１２】
0005973967.tif 000013
【図１３】
0005973967.tif 000014
【図１４】
0005973967.tif 000015
【図１５】
0005973967.tif 000016
【図１６】
0005973967.tif 000017
【図１７】
0005973967.tif 000018
【図１８】
0005973967.tif 000019
【図１９】
0005973967.tif 000020
【図２０】
0005973967.tif 000021
【図２１】
0005973967.tif 000022
【図２２】
0005973967.tif 000023
【図２３】
0005973967.tif 000024
【図２４】
0005973967.tif 000025
【図２５】
0005973967.tif 000026
【図２６】
0005973967.tif 000027
【図２７】
0005973967.tif 000028
【図２８】
0005973967.tif 000029
【図２９】
0005973967.tif 000030
【図３０】
0005973967.tif 000031
【図３１】
0005973967.tif 000032
【図３２】
0005973967.tif 000033